(57)【特許請求の範囲】
【請求項１】
二本の電線がハウジング内で略平行に保持されて外部に引き出されているコネクタであって、
相手側コネクタに嵌合される前記ハウジングと、
二つの導電部と、
を備え、
各前記導電部は、
前記相手側コネクタに設けられている相手側端子に接触する端子と、
前記電線と、
前記端子と前記電線とを電気的に接続する内部導電部材と、
を有し、
前記ハウジングの内部には、前記内部導電部材が固定される固定部であって、前記ハウジング内における二本の前記電線の並び方向の一方の側に一方の前記内部導電部材が固定され、他方の側に他方の前記内部導電部材が固定される固定部が設けられており、
各前記内部導電部材はそれぞれ前記並び方向に延伸するボルトによって前記固定部に固定されている、コネクタ。
【請求項２】
前記並び方向から見て二つの前記内部導電部材の固定位置が前記電線の延長線上に位置している、請求項１に記載のコネクタ。
【請求項３】
前記固定部には、一方の前記内部導電部材を前記固定部に固定するボルトが締結されるナットと他方の前記内部導電部材を前記固定部に固定するボルトが締結されるナットとが前記ハウジング内における前記電線の延伸方向に並んで配置されている、請求項１又は請求項２に記載のコネクタ。
【請求項４】
相手側コネクタに嵌合されるハウジングと、
二つの導電部と、
を備え、
各前記導電部は、
前記相手側コネクタに設けられている相手側端子に接触する端子と、
電線と、
前記端子と前記電線とを電気的に接続する内部導電部材と、
を有し、
前記ハウジングの内部には、前記内部導電部材が固定される固定部であって、軸線が前記ハウジングの嵌合方向に直交する方向に延びる姿勢で二つのナットが平行に配置されている固定部が設けられており、
一方の前記ナットには一方の前記内部導電部材を固定するボルトが前記直交する方向の一方の側から締結され、他方の前記ナットには他方の前記内部導電部材を固定するボルトが前記直交する方向の他方の側から締結されている、コネクタ。
【発明の詳細な説明】
【技術分野】
【０００１】
二本の電線がハウジング内で略平行に保持されて外部に引き出されているコネクタに関する。
【背景技術】
【０００２】
従来、二本の電線がハウジング内で略平行に保持されて外部に引き出されているコネクタが知られている（例えば、特許文献１参照）。特許文献１に記載のコネクタは端子と外部電線とを接続する内部導電部材を二つ有しており、各内部導電部材に接続されている二本の電線がハウジング内で略平行に保持されて外部に引き出されている。
【０００３】
また、特許文献１に記載のコネクタでは、内部導電部材に対して、二本の外部電線の並び方向とそれら二本の外部電線の延伸方向との両方に直交する方向の一方の側に端子固定部が配置されている。そして、内部導電部材には当該直交する方向からボルトが挿通される貫通穴が設けられており、各内部導電部材はそれぞれ当該直交する方向に延伸するボルトによって端子固定部に固定されている。
【０００４】
また、特許文献１に記載のコネクタは二つの内部導電部材が互いに離間して固定されており、それにより二つの内部導電部材の間に絶縁空間が確保されている。特許文献１に記載のコネクタではその絶縁空間に二つの内部導電部材を仕切る壁が設けられている。
【先行技術文献】
【特許文献】
【０００５】
【特許文献１】特開２０１４−３８７９３号公報
【発明の概要】
【発明が解決しようとする課題】
【０００６】
特許文献１に記載の端子固定部はボルトが締結されるものであるので、前述した直交する方向にある程度の幅を有している。このため特許文献１に記載のコネクタによると、当該直交する方向におけるコネクタの体格が大きくなってしまうという問題がある。
【０００７】
本明細書では、ハウジング内における二本の電線の並び方向とそれら二本の電線の延伸方向との両方に直交する方向におけるコネクタの体格を小さくする技術を開示する。
【課題を解決するための手段】
【０００８】
本明細書で開示するコネクタは、二本の電線がハウジング内で略平行に保持されて外部に引き出されているコネクタであって、相手側コネクタに嵌合される前記ハウジングと、二つの導電部と、を備え、各前記導電部は、前記相手側コネクタに設けられている相手側端子に接触する端子と、前記電線と、前記端子と前記電線とを電気的に接続する内部導電部材と、を有し、前記ハウジングの内部には、前記内部導電部材が固定される固定部であって、前記ハウジング内における二本の前記電線の並び方向の一方の側に一方の前記内部導電部材が固定され、前記並び方向の他方の側に他方の前記内部導電部材が固定される固定部が設けられており、各前記内部導電部材はそれぞれ前記並び方向に延伸するボルトによって前記固定部に固定されている。
【０００９】
上記のコネクタによると、二つの内部導電部材の間に固定部が配置されている構成になる。このため、従来のように内部導電部材に対して二本の電線の並び方向とそれら二本の電線の延伸方向との両方に直交する方向の一方の側に固定部が配置されている場合に比べ、当該直交する方向におけるコネクタの体格を小さくすることができる。
すなわち上記のコネクタによると、二つの内部導電部材を絶縁するために確保される絶縁空間に固定部を配置することにより、当該直交する方向におけるコネクタの体格を小さくすることができる。
【００１０】
また、前記並び方向から見て二つの前記内部導電部材の固定位置が前記電線の延長線上に位置していてもよい。
【００１１】
上記のコネクタによると、一方の内部導電部材の固定位置と他方の内部導電部材の固定位置とが前述した直交する方向にずれていたり、あるいは二つの内部導電部材の固定位置に対して電線の位置が前述した直交する方向にずれていたりする場合に比べ、前述した直交する方向におけるコネクタの体格をより小さくできる。
【００１２】
また、前記固定部には、一方の前記内部導電部材を前記固定部に固定するボルトが締結されるナットと他方の前記内部導電部材を前記固定部に固定するボルトが締結されるナットとが前記ハウジング内における前記電線の延伸方向に並んで配置されていてもよい。
【００１３】
上記のコネクタによると、二つのナットが二本の電線の延伸方向に並んで配置されているので、前述した並び方向においてそれら２つのナットに重なりが生じる。これにより、当該並び方向においてそれら２つのナットに重なりが全くない場合に比べ、当該並び方向における固定部の幅を狭くすることができる。
また、従来のように二本の電線の並び方向に直交する方向からボルトが挿通される貫通穴を内部導電部材に設けた場合には、当該並び方向における内部導電部材の幅を貫通穴の直径より狭くすることができない。このため当該並び方向におけるコネクタの体格が大きくなってしまう。これに対し、上記のコネクタによると、内部導電部材は当該直交する方向からボルトが挿通される貫通穴を備えなくてよいので、従来に比べて当該並び方向における内部導電部材の幅を狭くすることができる。
つまり、上記のコネクタによると、固定部及び内部導電部材の両方とも二本の電線の並び方向の幅を狭くすることができるので、当該並び方向におけるハウジングの体格を小さくすることができる。
【００１４】
また、本明細書で開示するコネクタは、相手側コネクタに嵌合されるハウジングと、二つの導電部と、を備え、各前記導電部は、前記相手側コネクタに設けられている相手側端子に接触する端子と、電線と、前記端子と前記電線とを電気的に接続する内部導電部材と、を有し、前記ハウジングの内部には、前記内部導電部材が固定される固定部であって、軸線が前記ハウジングの嵌合方向に直交する方向に延びる姿勢で二つのナットが平行に配置されている固定部が設けられており、一方の前記ナットには一方の前記内部導電部材を固定するボルトが前記直交する方向の一方の側から締結され、他方の前記ナットには他方の前記内部導電部材を固定するボルトが前記直交する方向の他方の側から締結されている。
【００１５】
上記のコネクタによると、軸線がハウジングの嵌合方向に直交する方向に延びる姿勢で二つのナットが平行に配置されているので、言い換えると当該直交する方向において二つのナットに重なりが生じるので、当該直交する方向におけるコネクタの体格を小さくすることができる。
【発明の効果】
【００１６】
本明細書で開示するコネクタによれば、ハウジング内における二本の電線の並び方向とそれら二本の電線の延伸方向との両方に直交する方向におけるコネクタの体格を小さくすることができる。
【図面の簡単な説明】
【００１７】
【図１】実施形態に係るコネクタの斜視図
【図２】ハウジングを左側から見た側面図
【図３】ハウジングの斜視図
【図４】図２に示すＡ−Ａ線の断面図
【図５】図４に示すＢ−Ｂ線の断面図
【図６】図４に示すＣ−Ｃ線の断面図
【発明を実施するための形態】
【００１８】
＜実施形態＞
実施形態を図１ないし図６に基づいて説明する。以降の説明において上下方向及び前後方向とは図２に示す上下方向及び前後方向を基準とし、左右方向とは図４に示す左右方向を基準とする。
【００１９】
図１を参照して、本実施形態に係るコネクタ１の概略について説明する。コネクタ１はハイブリッド自動車や電気自動車等の車両に搭載されているインバータやモータ等の機器を覆うシールドケースの内部に配されている機器側コネクタ（相手側コネクタ）に嵌合されるものである。
【００２０】
図１に示すように、コネクタ１はハウジング１０、及び、シールドシェル１１を備えている。ハウジング１０は合成樹脂によって形成されており、シールドシェル１１は導電性の金属材によって形成されている。
【００２１】
図１では示されていないが、ハウジング１０の内部には二つの導電部が収容されている。詳しくは後述するが、導電部は雌端子、内部導電部材４０（図２参照）、及び、電線４３を有している。雌端子は端子の一例である。
【００２２】
（１）ハウジング
図２に示すように、ハウジング１０は本体部１２、嵌合部１３、二つの端子収容部１４（図３参照）、及び、二つの電線引出部１５（図１参照）を有しており、側面視で略Ｌ字状をなしている。
【００２３】
（１−１）本体部
本体部１２は二つの平行線と二つの半円形とからなる上下方向に長い所謂レーストラック形状に形成されており、左右方向（図２において紙面垂直方向）の両側に開口１２Ａが形成されている。開口１２Ａは作業者がハウジング１０の内部に内部導電部材４０を固定する作業を行うためものである。図３に示すようにこれらの開口１２Ａは蓋部材１６によって塞がれている。
【００２４】
図４に示すように、本体部１２の内部には内部導電部材４０（中継部４１及び柔軟導体４２）が固定される固定部１７が本体部１２の内部空間を左右に仕切るように一体に形成されている。固定部１７には、左右方向（二本の電線４３の並び方向）の両側に、左右方向に延伸する第１のボルト２２及び第２のボルト２３によって二つの内部導電部材４０が固定されている。
【００２５】
具体的には、固定部１７には左側に開口する有底の穴１８、及び、右側に開口する有底の穴１９が形成されている。そして、それらの穴１８，１９にナット２０，２１がそれぞれ圧入されており、内部導電部材４０を固定する第１のボルト２２及び第２のボルト２３がそれぞれ締結されている。
【００２６】
図４に示すように、ナット２０とナット２１とは、ハウジング１０内における二本の電線４３の延伸方向（図４では上下方向）に並んで配置されている。このため二本の電線４３の並び方向（図４では左右方向）において２つのナット２０，２１に重なりが生じている。
【００２７】
また、図５に示すように、二本の電線４３の並び方向（図５では紙面垂直方向）から見て、ナット２０及びナット２１は電線４３の延長線上に位置している。つまり、一方の内部導電部材４０の固定位置と他方の内部導電部材４０の固定位置とは前後方向において一致しており、その位置は電線４３の延長線上に位置している。
ここで、前後方向は二本の電線４３の並び方向（図５では紙面垂直方向）とそれら二本の電線４３の延伸方向（図５では上下方向）との両方に直交する方向である。
【００２８】
図４に示すように、固定部１７には後側に開口する有底の穴２４も形成されている。穴２４は本体部１２の後側の面に開口しており、本体部１２の外からナット５１が圧入されている。また、本体部１２の上部には上に向かって円柱状に延びるナット圧入部２５が形成されている。ナット圧入部２５には上側に開口する有底の穴２６が形成されており、本体部１２の外からナット５０が圧入されている。これらのナット５０，５１はシールドシェル１１を本体部１２に固定するボルト２８，２９（図３参照）が締結されるものである。
【００２９】
（１−２）嵌合部
図３に示すように、嵌合部１３は本体部１２の前側から角筒状に張り出すように設けられている。嵌合部１３は機器側のシールドケースに形成されているケース側開口に嵌合挿入されるものである。
図５に示すように、嵌合部１３の外周にはゴム製のシールリング１３Ａが嵌め込まれている。シールリング１３Ａは嵌合部１３とケース側開口の内面との間をシールするものである。嵌合部１３には左側からリテーナ１３Ｂが装着されており、それによりシールリング１３Ａの脱落が防止されている。
【００３０】
（１−３）端子収容部
図１に示すように、二つの端子収容部１４は嵌合部１３の前側から前方に突出するように配されている。具体的には、図６に示すように嵌合部１３の左側の面には開口３２が形成されており、端子収容部１４は右側部分が開口３２から嵌合部１３に嵌合挿入されて嵌合部１３に固定されている。各端子収容部１４はそれぞれ角筒状に形成されており、内側に図示しない雌端子が挿入されている。
【００３１】
（１−４）電線引出部
図４に示すように、電線引出部１５は本体部１２の下方から円錐状に広がる円錐状部分と円錐状部分の下端から円筒状に伸びる円筒状部分とを有しており、内部に電線４３の上端部が収容されている。二つの電線４３は電線引出部１５内で略平行に保持されて下方に引き出されている。
【００３２】
また、電線引出部１５の円筒状部分の内側には円環状のゴム栓３１が収容されており、ゴム栓３１の中心に形成されている貫通穴に電線４３が通されている。ゴム栓３１は電線４３と電線引出部１５の内面との間を全周に亘ってシールしている。
【００３３】
（２）導電部
次に、図６を参照して、導電部について説明する。前述したように導電部は図示しない雌端子、内部導電部材４０（中継部４１及び柔軟導体４２）、及び、電線４３を備えている。
【００３４】
雌端子は相手側コネクタに設けられている相手側端子に接触するものである。雌端子は導電性の金属材によって形成されており、右側部分が溶接あるいは圧着によって柔軟導体４２の左側縁部に接合されている。
【００３５】
内部導電部材４０はハウジング１０の内部で雌端子と電線４３とを電気的に接続する部材である。内部導電部材４０は中継部４１と柔軟導体４２とによって構成されており、全体として略Ｌ字状をなしている。
【００３６】
中継部４１には長手方向の上側の端部に貫通穴が形成されている。貫通穴は第１のボルト２２が挿通される穴である。また、中継部４１の長手方向の下側の端部には電線４３が圧着される電線圧着部４４が形成されている。
ここで、図４に示すように、二つの中継部４１は上下方向の長さが異なっており、固定部１７の左側に固定される中継部４１は右側に固定される中継部４１より上下方向に長くなっている。
【００３７】
図６に戻る。柔軟導体４２は銅または銅合金からなる複数の細い金属素線を網目状に編み込んだ編組線を複数重ねて構成されている。前述したように柔軟導体４２の左側縁部には雌端子が接合されている。一方、柔軟導体４２の右側縁部は溶接によって中継部４１に接合されている。具体的には、柔軟導体４２は右側縁部が中継部４１の左側縁部ではなく右側縁部に溶接されている。このようにすると中継部４１の左側縁部に溶接する場合に比べて柔軟導体４２を長くすることができるので、柔軟導体４２の柔軟性を確保し易くなる。
【００３８】
なお、本実施形態では柔軟導体４２が中継部４１に溶接によって接合されているが、柔軟導体４２の接合はこれに限られるものではなく、ろう接（ロウ付けやハンダ付け）などの公知の接続手段によって接合してもよい。あるいは、柔軟導体４２は第１のボルト２２や第２のボルト２３によって中継部４１とともに固定部１７に共締めされる構成であってもよい。
【００３９】
電線４３は複数の金属素線からなる芯線を絶縁被覆によって覆ったものであり、上側の端部の被覆が剥がされて電線圧着部４４に圧着されている。なお、本実施形態では電線４３が圧着によって中継部４１に接続されるが、この接続は圧着に限られるものではなく、溶接などの他の公知の接続方法によることも可能である。
【００４０】
（３）シールドシェル
図１に示すようにシールドシェル１１は本体部１２の上側、左側、右側、及び、後側を覆っている。シールドシェル１１には上側を向く面、及び、後側を向く面にボルト５４，５５を通すための貫通穴が形成されており、それらの穴にボルト５４，５５が通されて前述したナット５０，５１に締結されることによってハウジング１０に固定されている。
【００４１】
（４）コネクタの組み立て
コネクタ１の組み立てでは、ハウジング１０の外で中継部４１の電線圧着部４４に電線４３が圧着されるとともに、雌端子が柔軟導体４２に溶接される。そして、電線４３が圧着された中継部４１が電線引出部１５側から本体部１２に挿入され、第１のボルト２２あるいは第２のボルト２３によって固定部１７に固定される。
【００４２】
中継部４１が固定部１７に固定された後、図６に示すように端子収容部１４が左側から嵌合部１３に嵌合挿入される。端子収容部１４が嵌合挿入されると柔軟導体４２が中継部４１に重なった状態となり、その状態で柔軟導体４２が中継部４１に溶接される。
そして、開口１２Ａが蓋部材１６で塞がれた後、シールドシェル１１がハウジング１０に固定される。
【００４３】
（５）実施形態の効果
以上説明したコネクタ１によると、二つの内部導電部材４０の間に固定部１７が配置されている構成になる。このため、従来のように内部導電部材４０に対して二本の電線４３の並び方向（図２では紙面垂直方向）とそれら二本の電線４３の延伸方向（図２では上下方向）との両方に直交する方向（図２では前後方向）の一方の側に固定部１７が配置されている場合に比べ、当該直交する方向におけるコネクタ１の体格を小さくすることができる。
すなわちコネクタ１によると、二つの内部導電部材４０を絶縁するために確保される絶縁空間に固定部１７を配置することにより、上述した直交する方向におけるコネクタ１の体格を小さくすることができる。
【００４４】
更に、コネクタ１によると、図５に示すように、二本の電線４３の並び方向から見て二つの内部導電部材４０の固定位置が電線４３の延長線上に位置しているので、一方の内部導電部材４０の固定位置と他方の内部導電部材４０の固定位置とが前述した直交する方向にずれていたり、あるいは二つの内部導電部材４０の固定位置に対して電線４３の位置が前述した直交する方向にずれていたりする場合に比べ、前述した直交する方向におけるコネクタ１の体格をより小さくできる。
【００４５】
更に、コネクタ１によると、内部導電部材４０を固定するボルト２２，２３が締結される二つのナット２０，２１がハウジング１０内における電線４３の延伸方向（図４では上下方向）に並んで配置されているので、二本の電線４３の並び方向（図４では左右方向）において２つのナット２０，２１に重なりが生じる。これにより、当該並び方向において２つのナット２０，２１に重なりが全くない場合に比べ、当該並び方向における固定部１７の幅を狭くすることができる。
また、従来のように二本の電線４３の並び方向に直交する方向（例えば図４において紙面垂直方向）からボルトが挿通される貫通穴を内部導電部材４０に設けた場合には、当該並び方向における内部導電部材４０の幅を貫通穴の直径より狭くすることはできない。このため当該並び方向におけるコネクタ１の体格が大きくなってしまう。これに対し、コネクタ１によると、内部導電部材４０は当該直交する方向からボルトが挿通される貫通穴を備えていなくてよいので、従来に比べて当該並び方向における内部導電部材４０の幅を狭くすることができる。
つまり、コネクタ１によると、固定部１７及び内部導電部材４０の両方とも二本の電線４３の並び方向の幅を狭くすることができるので、当該並び方向におけるハウジング１０の体格を小さくすることができる。
【００４６】
＜他の実施形態＞
本明細書によって開示される技術は上記記述及び図面によって説明した実施形態に限定されるものではなく、例えば次のような実施形態も本明細書によって開示される技術的範囲に含まれる。
【００４７】
（１）上記実施形態では二本の電線４３の並び方向から見て二つの中継部４１の固定位置が電線４３の延長線上に位置している場合を例に説明した。これに対し、従来に比べて前後方向の体格が小さくなる範囲で、一方の中継部４１の固定位置が他方の中継部４１の固定位置に対して図５に示す前後方向にずれていてもよい、あるいは二つの中継部４１の固定位置に対して電線４３の位置が前後方向にずれていてもよい。
【００４８】
（２）上記実施形態では２本の電線４３の並び方向において第１のボルト２２と第２のボルト２３とが一部重なっている場合を例に説明した。しかしながら、当該並び方向の体格が問題とならない場合はこれらのボルトは当該並び方向に全く重なっていなくてもよい。
【００４９】
（３）上記実施形態では内部導電部材４０が中継部４１と柔軟導体４２とに分かれている場合を例に説明した。しかしながら、内部導電部材４０は必ずしも中継部４１と柔軟導体４２とに分かれていなくてもよい。例えば、雌端子が直接中継部４１に溶接される構成であってもよい。
【００５０】
（４）上記実施形態では柔軟導体４２が編組線とされている場合を例に説明したが、柔軟導体４２は柔軟性を有する電線であってもよい。
【００５１】
（５）上記実施形態ではハウジング１０が略Ｌ字状をなしている場合を例に説明した。これに対し、ハウジング１０がストレートな形状であってもよい。
【００５２】
（６）上記実施形態で説明したコネクタ１は、次のように言い換えることもできる。
相手側コネクタに嵌合されるハウジング１０と、二つの導電部と、を備え、各導電部は、相手側コネクタに設けられている相手側端子に接触する図示しない雌端子と、電線４３と、雌端子と電線４３とを電気的に接続する内部導電部材４０と、を有し、ハウジング１０の内部には、内部導電部材４０が固定される固定部１７であって、軸線がハウジング１０の嵌合方向（図４では紙面垂直方向）に直交する方向（図４では左右方向）に延びる姿勢で二つのナット２０，２１が平行に配置されている固定部１７が設けられており、一方のナット２０には一方の内部導電部材４０を固定するボルト２２が当該直交する方向（図４では左右方向）の一方の側（図４では左側）から締結され、他方のナット２１には他方の内部導電部材４０を固定するボルト２３が当該直交する方向（図４では左右方向）の他方の側（図４では右側）から締結されている。
【００５３】
このような構成のコネクタ１によると、軸線がハウジング１０の嵌合方向に直交する方向（図４では左右方向）に延びる姿勢で二つのナット２０，２１が平行に配置されているので、言い換えると当該直交する方向において二つのナット２０，２１に重なりが生じているので、当該直交する方向におけるコネクタ１の体格を小さくすることができる。
【００５４】
なお、実施形態１では二つのナット２０，２１が電線４３の延伸方向に並んで配置されている場合を例に説明したが、ナット２０，２１が並んで配置される方向は電線４３の延伸方向に限られない。例えば、２つのナット２０，２１は、ハウジング１０の嵌合方向（図４では紙面垂直方向）に並んで配置されてもよい。その場合は嵌合方向、言い換えると前後方向におけるコネクタ１の体格を小さくすることは必ずしもできないが、嵌合方向に直交する方向（図４では左右方向）の体格を小さくすることはできる。
【符号の説明】
【００５５】
１・・・コネクタ、１０・・・ハウジング、１７・・・固定部、２０・・・ナット、２１・・・ナット、２２・・・ボルト、２３・・・ボルト、４０・・・内部導電部材（導電部）、４３・・・電線（導電部）
【図１】
0006344611.tif 000002
【図２】
0006344611.tif 000003
【図３】
0006344611.tif 000004
【図４】
0006344611.tif 000005
【図５】
0006344611.tif 000006
【図６】
0006344611.tif 000007